【手続補正書】
【提出日】平成19年8月17日(2007.8.17)
【手続補正１】
【補正対象書類名】特許請求の範囲
【補正対象項目名】全文
【補正方法】変更
【補正の内容】
【特許請求の範囲】
【請求項１】
近接照射療法のインプラントシードであって、以下：
内部に受け取られた放射活性コアを有するシールされた無機質の金属性シリンダーを含み、該放射活性コアが、以下：
チューブの軸方向に沿って延びる外部表面を有する無機質の非晶質ケイ酸ガラスチューブ；および
該無機質の非晶質ガラスチューブの外部表面のうちの少なくとも一部分に受け取られた無機質の結晶性のセラミックコーティングであって、治療用量の放射性物質を含む該コーティングを含み；ならびに
該シールされた無機質の金属性シリンダー内に受け取られた放射線マーカー
を含む、近接照射療法のインプラントシード。
【請求項２】
請求項１に記載の近接照射療法のインプラントシードであって、前記ガラスが、ホウケイ酸塩を含む、近接照射療法のインプラントシード。
【請求項３】
請求項１に記載の近接照射療法のインプラントシードであって、前記ガラスが、ホスホシリケートを含む、近接照射療法のインプラントシード。
【請求項４】
請求項１に記載の近接照射療法のインプラントシードであって、前記無機質の結晶性のセラミックが、金属ケイ酸塩を含む、近接照射療法のインプラントシード。
【請求項５】
請求項４に記載の近接照射療法のインプラントシードであって、前記無機質の結晶性のセラミックが、アルミノケイ酸塩を含む、近接照射療法のインプラントシード。
【請求項６】
請求項１に記載の近接照射療法のインプラントシードであって、前記治療用量の放射性活性物質が、前記チューブの外部表面の全体をコーティングする、近接照射療法のインプラントシード。
【請求項７】
請求項１に記載の近接照射療法のインプラントシードであって、前記治療用量の放射性物質が、前記チューブの外部表面のうちの全てに満たない部分をコーティングする、近接照射療法のインプラントシード。
【請求項８】
請求項７に記載の近接照射療法のインプラントシードであって、前記治療用量の放射性物質が、前記チューブの１．０ｍｍ〜４．０ｍｍの長手軸方向の中央部をコーティングしない、近接照射療法のインプラントシード。
【請求項９】
請求項１に記載の近接照射療法のインプラントシードであって、前記無機質の結晶性のセラミックコーティングが、０．１ｍｍ〜０．４ｍｍの厚さを有する、近接照射療法のインプラントシード。
【請求項１０】
請求項１に記載の近接照射療法のインプラントシードであって、前記無機質の結晶性のセラミックコーティングが、前記無機質の非晶質ケイ酸ガラスチューブの厚さと同じである厚さを有する、近接照射療法のインプラントシード。
【請求項１１】
請求項１に記載の近接照射療法のインプラントシードであって、前記無機質の結晶性のセラミックコーティングが、前記無機質の非晶質ケイ酸ガラスチューブの厚さより大きい厚さを有する、近接照射療法のインプラントシード。
【請求項１２】
請求項１に記載の近接照射療法のインプラントシードであって、前記無機質の結晶性のセラミックコーティングが、前記無機質の非晶質ケイ酸ガラスチューブの厚さより小さい厚さを有する、近接照射療法のインプラントシード。
【請求項１３】
請求項１に記載の近接照射療法のインプラントシードであって、前記無機質の非晶質ケイ酸ガラスチューブが、無機質の非晶質ケイ酸ガラスによってシールされる長手軸方向に対向する末端を含む、近接照射療法のインプラントシード。
【請求項１４】
請求項１に記載の近接照射療法のインプラントシードであって、前記放射線マーカーが、前記無機質の非晶質ケイ酸ガラスチューブ内に受け取られる、近接照射療法のインプラントシード。
【請求項１５】
前記シールされた無機質の金属性シリンダーの長手軸方向の末端内に受け取られた一対のボールを含む、請求項１に記載の近接照射療法のインプラントシード。
【請求項１６】
請求項１５に記載の近接照射療法のインプラントシードであって、前記ボールが、放射線マーカー物質を含む、近接照射療法のインプラントシード。
【請求項１７】
請求項１５に記載の近接照射療法のインプラントシードであって、前記ボールが、治療用量の放射性物質を含む、近接照射療法のインプラントシード。
【請求項１８】
請求項１５に記載の近接照射療法のインプラントシードであって、前記ボールが、治療用量の放射性物質でコーティングされた無機質の結晶性のセラミックを含む、近接照射療法のインプラントシード。
【請求項１９】
近接照射療法のインプラントシードを製造する方法であって、該方法が、以下：
チューブの軸方向に沿って延びる外部表面を有する無機質の非晶質ケイ酸ガラスチューブを提供する工程；
該チューブの外部表面のうちの少なくとも一部分をセラミック前駆物質でコーティングする工程；
該コーティングする工程の後、該セラミック前駆物質を有効な温度に曝露して、該チューブの外部表面部分一面に該前駆物質から連続的な無機質の結晶性のセラミックコーティングを形成させる工程であって、該セラミックコーティングが、０．１ｍｍ〜０．４ｍｍの厚さを有し、そしてケイ酸塩および金属酸化物を含む工程；
該曝露する工程の後、該セラミックコーティングの上に治療用量の放射性物質を吸着させる工程；
無機質の金属性シリンダー内に、治療用量の放射性物質を有する該セラミックコーティングされたガラスチューブのうちの少なくとも一部分を提供する工程；
該セラミックコーティングされたガラスチューブの部分内に無機質の金属性放射線マーカーを提供する工程；および
治療用量の放射性物質および該無機質の金属性放射線マーカーを有する該セラミックコーティングされたガラスチューブの部分を内部に有する該無機質の金属性シリンダーの末端の上に無機質の金属性キャップを溶接する工程、
を包含する、方法。
【請求項２０】
請求項１９に記載の方法であって、前記無機質の金属性放射線マーカーが、前記吸着させる工程の前に、前記セラミックコーティングされたガラスチューブ内に提供される、方法。
【請求項２１】
請求項１９に記載の方法であって、前記無機質の金属性放射線マーカーが、前記吸着させる工程の後に、前記セラミックコーティングされたガラスチューブ内に提供される、方法。
【請求項２２】
請求項２１に記載の方法であって、前記セラミックコーティングされたガラスチューブを前記無機質の金属性キャップ内に提供した後に、前記無機質の金属性放射線マーカーが、該セラミックコーティングされたガラスチューブ内に提供される、方法。
【請求項２３】
請求項１９に記載の方法であって、セラッミク前駆物質が、無機イオン交換物質を含む、方法。
【請求項２４】
請求項２３に記載の方法であって、前記吸着させる工程が、前記セラミックコーティングを、前記イオン交換物質と親和性を有する放射性同位体イオンを含む溶液と接触させる工程を包含する、方法。
【請求項２５】
請求項２３に記載の方法であって、前記イオン交換物質が、少なくとも１つのゼオライトを含む、方法。
【請求項２６】
請求項２３に記載の方法であって、前記イオン交換物質が、シリコチタン酸塩を含む、方法。
【請求項２７】
請求項１９に記載の方法であって、前記連続的な無機質の結晶性のセラミックコーティングが、本質的に、添加されたイオン交換物質を含まずに前記放射性物質と親和性を有する、方法。
【請求項２８】
請求項２７に記載の方法であって、前記吸着させる工程が、前記セラミックコーティングを、前記連続的な無機質の結晶性セラミックコーティングと親和性を有する放射性同位体イオンを含む溶液と接触させる工程を包含する、方法。
【請求項２９】
請求項１９に記載の方法であって、前記コーティングする工程が、エアゾールスプレーによる、方法。
【請求項３０】
請求項１９に記載の方法であって、前記コーティングする工程が、液体スプレーによる、方法。
【請求項３１】
請求項１９に記載の方法であって、前記コーティングする工程が、ダイカスティングによる、方法。
【請求項３２】
請求項１９に記載の方法であって、前記コーティングする工程が、成形による、方法。
【請求項３３】
請求項１９に記載の方法であって、前記コーティングする工程が、以下：
金型通路を通して、前記チューブをスライド可能に受け取り、該チューブの外部表面の上にコーティングを形成させるためのサイズの該金型通路を含む容器を提供する工程；
該容器内に前記セラミック前駆物質の混合物を提供する工程；および
該チューブを、該容器内の該セラミック前駆物質混合物の中、該金型通路を通し、そして効率的に該容器の外へ移動させ、該チューブの上に該セラミック前駆物質のコーティングを形成させる工程
を包含する、方法。
【請求項３４】
請求項１９に記載の方法であって、前記コーティングする工程が、以下：
前記チューブを受け取り、その上にコーティングを形成するためのサイズの型穴を含む型を提供する工程；
該型穴内に前記セラミック前駆物質の混合物を挿入する工程；
該型穴内に該チューブを挿入する工程；
該型穴を用いて該チューブの外部表面の上に該セラミック前駆物質の付着性コーティングを形成させる工程；および
該形成させる工程の後、該型を破壊的に融解する工程、
を包含する、方法。
【請求項３５】
請求項１９に記載の方法であって、前記無機質の結晶性のセラミックコーティングが、前記無機質の非晶質ケイ酸ガラスチューブの厚さと同じである厚さを有する、方法。
【請求項３６】
請求項１９に記載の方法であって、前記無機質の結晶性のセラミックコーティングが、前記無機質の非晶質ケイ酸ガラスチューブの厚さより大きい厚さを有する、方法。
【請求項３７】
請求項１９に記載の方法であって、前記無機質の結晶性セラミックコーティングが、前記無機質の非晶質ケイ酸ガラスチューブの厚さより小さい厚さを有する、方法。
【請求項３８】
近接照射療法のインプラントシードを製造する方法であって、該方法が、以下：
無機質の金属性シリンダーを提供する工程；
該無機質の金属性シリンダーの末端の上に無機質の金属性キャップを溶接する工程であって、該溶接する工程が、該キャップおよびシリンダーを回転させている間、該キャップおよびシリンダーに向かって一連のレーザーパルスを発射することを包含し、該レーザーパルスは、一連の重なり合っている溶接点を形成させるために効果的であり、隣接する溶接点は、溶接点直径の重なり部分を溶接点直径で割って計算されて、５０％より多くなく、互いに重なり合っている、工程；および
該無機質の金属性シリンダー内に放射活性コアを提供して、該放射性コアが、治療用量の放射性物質を含む工程、
を包含する、方法。
【請求項３９】
請求項３８に記載の方法であって、前記隣接する溶接点が、溶接点直径の重なり部分を溶接点直径で割って計算されて、２０％〜４０％互いに重なり合う、方法。
【請求項４０】
請求項３８に記載の方法であって、
前記レーザーパルスが、前記金属性シリンダーの外面に対する垂直からのある発射角度で前記キャップおよびシリンダーの方へ向かって発射され、該発射角度が、該金属性シリンダーの長い方の部分に向かう方向であり；そして、
該無機質の金属性キャップが、該無機質の金属性シリンダーから離れた方に最外側の縁を有し、前記溶接する工程が、該キャップおよびシリンダーの接合点より該最外側の縁に、より近接する位置で該レーザーパルスのそれぞれの中央を照準とすることを包含する、方法。
【請求項４１】
請求項４０に記載の方法であって、前記発射角度が、前記金属性シリンダーの外面に対する垂直から１５°〜３０°である、方法。  
【請求項４２】
請求項３８に記載の方法であって、前記無機質の金属性シリンダー内に前記放射活性コアを提供する工程が、前記溶接する工程の前に行われる、方法。
【請求項４３】
請求項３８に記載の方法であって、前記無機質の金属性シリンダーのもう一方の末端の上に別の無機質の金属性キャップを溶接する工程を包含する、方法。